(57)【特許請求の範囲】
【請求項１】
基地局装置から複数のセルを割り当てられ、前記基地局装置と前記複数のセルを介して通信を行う移動局装置であって、
前記複数のセルは、前記移動局装置における送信タイミングが同一である少なくとも１つのセルから成る複数のグループに分けられており、
前記基地局装置からの指示により、前記複数のグループの中の１つのグループから少なくとも１つのセルを削除し、前記削除したセルを前記複数のグループの中の他のグループに追加した場合、前記追加したセルをデアクティベート状態に設定することを特徴とする移動局装置。
【請求項２】
デアクティベート状態のセルに対して、下りリンクの受信処理を行わないことを特徴とする請求項１に記載の移動局装置。
【請求項３】
基地局装置から複数のセルを割り当てられ、前記基地局装置と前記複数のセルを介して通信を行う移動局装置の無線通信方法であって、
前記複数のセルは、前記移動局装置における送信タイミングが同一である少なくとも１つのセルから成る複数のグループに分けられており、
前記基地局装置からの指示により、前記複数のグループの中の１つのグループから少なくとも１つのセルを削除し、前記削除したセルを前記複数のグループの中の他のグループに追加した場合、前記追加したセルをデアクティベート状態に設定することを特徴とする無線通信方法。
【請求項４】
前記移動局装置が、デアクティベート状態のセルに対して、下りリンクの受信処理を行わないことを特徴とする請求項３に記載の無線通信方法。
【請求項５】
基地局装置から複数のセルを割り当てられ、前記基地局装置と前記複数のセルを介して通信を行う移動局装置に実装される集積回路であって、
前記複数のセルは、前記移動局装置における送信タイミングが同一である少なくとも１つのセルから成る複数のグループに分けられており、
前記基地局装置からの指示により、前記複数のグループの中の１つのグループから少なくとも１つのセルを削除し、前記削除したセルを前記複数のグループの中の他のグループに追加した場合、前記追加したセルをデアクティベート状態に設定する機能を、前記移動局装置に発揮させることを特徴とする集積回路。
【請求項６】
デアクティベート状態のセルに対して、下りリンクの受信処理を行わない機能を前記移動局装置に発揮させることを特徴とする請求項５に記載の集積回路。
【発明の詳細な説明】
【技術分野】
【０００１】
本発明の実施形態は、基地局装置、移動局装置および無線通信システムに関連し、より詳細には、送信タイミンググループを変更した場合の無線通信システム、移動局装置、基地局装置、無線通信方法及び集積回路に関する。
【背景技術】
【０００２】
３ＧＰＰ（3rd Generation Partnership Project）では、Ｗ−ＣＤＭＡ方式が第三世代セルラー移動通信方式として標準化され、順次サービスが開始されている。また、通信速度を更に上げたＨＳＤＰＡも標準化され、サービスが開始されている。
【０００３】
一方、３ＧＰＰでは、第三世代無線アクセスの進化（Evolved Universal Terrestrial Radio Access；以下、「EUTRA」と呼称する。）の標準化が進められている。ＥＵＴＲＡの下りリンクの通信方式として、マルチパス干渉に強く、高速伝送に適したＯＦＤＭ（Orthogonal Frequency Division Multiplexing）方式が採用されている。また、上りリンクの通信方式として、移動局装置のコストと消費電力を考慮し、送信信号のピーク対平均電力比ＰＡＰＲ（Peak to Average Power Ratio）を低減できるシングルキャリア周波数分割多重方式ＳＣ−ＦＤＭＡ（Single Carrier-Frequency Division Multiple Access）のＤＦＴ（Discrete Fourier Transform（離散フーリエ変換））−ｓｐｒｅａｄ  ＯＦＤＭ方式が採用されている。
【０００４】
また、３ＧＰＰでは、ＥＵＴＲＡの更なる進化のＡｄｖａｎｃｅｄ−ＥＵＴＲＡの議論も始まっている。Ａｄｖａｎｃｅｄ−ＥＵＴＲＡでは、上りリンクおよび下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行なうことを想定している。
【０００５】
Ａｄｖａｎｃｅｄ−ＥＵＴＲＡでは、ＥＵＴＲＡの移動局装置も収容できるようにＥＵＴＲＡの２０ＭＨｚ以下の帯域を複数個束ねることで、最大で１００ＭＨｚ帯域を実現することを考えている。尚、Ａｄｖａｎｃｅｄ−ＥＵＴＲＡでは、ＥＵＴＲＡの１つの２０ＭＨｚ以下の帯域を「コンポーネントキャリア（Component Carrier : CC）」と呼んでいる（非特許文献２）。また、１つの下りリンクのコンポーネントキャリアと１つの上りリンクのコンポーネントキャリアとを組み合わせて１つのセルが構成される。尚、１つの下りリンクコンポーネントキャリアのみでも１つのセルを構成できる。基地局装置は、移動局装置に複数セルを割り当てて、割り当てたセルを介して移動局装置と通信を行なう。
【０００６】
また、Ａｄｖａｎｃｅｄ−ＥＵＴＲＡでは、図１２のようにリピータ（Repeater）やＲＲＨ（Radio Remote Head）を介して、基地局装置と移動局装置が複数のコンポーネントキャリアを介して通信することも検討されている。このような場合、移動局装置での下りリンクコンポーネントキャリアからのデータの受信タイミングは、セル毎に異なる場合がある。同様に各セルの上りリンクコンポーネントキャリア毎に基地局装置への送信タイミング（Timing Advance:TA）も異なる場合がある。その為、移動局装置は、各セルの上りリンクコンポーネントキャリア毎、または、送信タイミングが同じコンポーネントキャリアのグループ毎に送信タイミングの調整を行なうこととなっている。尚、送信タイミングが同じコンポーネントキャリア（またはセル）をグループ化したものを「送信タイミンググループ(TA group)」と言う。
【０００７】
基地局装置は、送信タイミングが異なるセルを割り当てた移動局装置に対して送信タイミンググループを設定する。また、基地局装置は、通信状況の変化により、移動局装置に対して送信タイミンググループの再設定を行う。
【先行技術文献】
【非特許文献】
【０００８】
【非特許文献１】3GPP TS(Technical Specification)36.300、V10.50(2011-09)、Evolved Universal Terrestrial Radio Access(E-UTRA) and Evolved Universal Terrestrial Radio Access Network(E-UTRAN)、Overall description Stage2
【非特許文献２】3GPP TR(Technical Specification)36.814、V9.00(2010-03)、Evolved Universal Terrestrial Radio Access(E-UTRA) Further advancements for E-UTRA physical layer aspects
【発明の概要】
【発明が解決しようとする課題】
【０００９】
各送信タイミンググループの中に１つのタイミング参照セルがある。各送信タイミンググループの送信タイミングは、タイミング参照セルの下りリンクの受信タイミングを基準にして決定している。また、基地局装置から通知される送信タイミンググループの送信タイミング情報は、タイミング参照セルの上りリンクの送信タイミングを調整する。
【００１０】
基地局装置は、移動局装置が移動などをしたことに伴う通信状況の変化により、移動局装置に対して送信タイミンググループの再設定を行う場合がある。基地局装置が送信タイミンググループの再設定を行い、タイミング参照セルが送信タイミンググループから削除される場合、または、他の送信タイミンググループに移動になった場合、送信タイミンググループのタイミング参照セルがなくなることで基準となるタイミングがなくなり、移動局装置は上りリンクの送信ができなくなる。
【００１１】
本発明の実施形態は、このような事情に鑑みてなされたものであり、基地局装置が通信中に移動局装置の送信タイミンググループを再設定した場合でも効率の良い動作を可能とする無線通信システム、移動局装置、基地局装置、無線通信方法及び集積回路を提供することを目的とする。
【課題を解決するための手段】
【００１２】
（１）上記の目的を達成するために、本発明の実施形態は、以下のような手段を講じた。すなわち、本発明の実施形態の無線通信システムは、基地局装置が複数セルを移動局装置に割り当て、前記基地局装置と前記移動局装置が前記複数セルを介して通信を行なう無線通信システムであって、前記複数セルは、同じ上りリンク送信タイミングのセルでグループ化され、前記グループの１つのセルに対して送信タイミングの基準となるタイミング参照セルが設定され、前記基地局装置は、前記グループに対するグループ構成を変更するメッセージを前記移動局装置に通知し、前記移動局装置は、前記メッセージを受信し、前記メッセージで前記タイミング参照セルの変更が指示され、且つ、前記メッセージにランダムアクセス情報が含まれていた場合、新たなタイミング参照セルでランダムアクセス手順を開始することを特徴とする。
【００１３】
（２）また、本発明の実施形態の無線通信システムにおいて、ランダムアクセスプリアンブルを送信する前記タイミング参照セルは、アクティベートセルであることを特徴とする。
【００１４】
（３）また、本発明の実施形態の無線通信システムにおいて、前記ランダムアクセス情報には、少なくともプリアンブル番号が含まれることを特徴とする。
【００１５】
（４）また、本発明の実施形態の無線通信システムにおいて、前記グループ内のセルに割り当てられている上りリンク無線リソースを維持することを特徴とする。
【００１６】
（５）また、本発明の実施形態の無線通信システムにおいて、前記メッセージで他のグループへ移動を指示されたセルは、前記他のグループのタイミング参照セルの状態によって、前記セルの移動後の状態を決定することを特徴とする。
【００１７】
（６）また、本発明の実施形態の無線通信システムにおいて、前記セルの移動後の状態は、アクティベート、または、デアクティベートであることを特徴とする。
【００１８】
（７）また、本発明の実施形態の移動局装置は、基地局装置から複数セルを割り当てられ、前記基地局装置と前記複数セルを介して通信を行なう移動局装置であって、前記複数セルは、同じ上りリンク送信タイミングのセルでグループ化され、前記グループの１つのセルに対して送信タイミングの基準となるタイミング参照セルが設定され、前記基地局装置から前記グループに対するグループ構成を変更するメッセージを受信し、前記メッセージで前記タイミング参照セルの変更が指示され、且つ、前記メッセージにランダムアクセス情報が含まれていた場合、新たなタイミング参照セルでランダムアクセス手順を開始することを特徴とする。
【００１９】
（８）また、本発明の実施形態の移動局装置は、前記新たなタイミング参照セルがアクティベート状態である場合、ランダムアクセスプリアンブルを送信することを特徴とする。
【００２０】
（９）また、本発明の実施形態の基地局装置は、複数セルを移動局装置に割り当て、前記移動局装置と前記複数セルを介して通信を行なう基地局装置であって、前記複数セルは、同じ上りリンク送信タイミングのセルでグループ化され、前記グループの１つのセルに対して送信タイミングの基準となるタイミング参照セルが設定され、前記グループに対するグループ構成を変更するメッセージに前記グループのグループ識別情報、前記グループに含まれるセルの識別情報、新タイミング参照セルの識別情報、ランダムアクセス情報を含め、前記グループに対するグループ構成を変更するメッセージを前記移動局装置に通知することを特徴とする。
【００２１】
（１０）また、本発明の実施形態の基地局装置は、前記ランダムアクセス情報に、少なくともプリアンブル番号を含めることを特徴とする。
【００２２】
（１１）また、本発明の実施形態の無線通信方法は、基地局装置が複数セルを移動局装置に割り当て、前記基地局装置と前記移動局装置が前記複数セルを介して通信を行なう無線通信システムに適用さる無線通信方法であって、前記複数セルは、同じ上りリンク送信タイミングのセルでグループ化され、前記グループの１つのセルに対して送信タイミングの基準となるタイミング参照セルが設定され、前記基地局装置は、前記グループに対するグループ構成を変更するメッセージを前記移動局装置に通知するステップを含み、前記移動局装置は、前記メッセージを受信するステップと、前記メッセージで前記タイミング参照セルの変更が指示され、且つ、前記メッセージにランダムアクセス情報が含まれていた場合、新たなタイミング参照セルでランダムアクセス手順を開始するステップとを少なくとも含むことを特徴とする。
【００２３】
（１２）また、本発明の実施形態の集積回路は、基地局装置から複数セルを割り当てられ、前記基地局装置と前記複数セルを介して通信を行なう移動局装置に適用される集積回路であって、前記複数セルは、同じ上りリンク送信タイミングのセルでグループ化され、前記グループの１つのセルに対して送信タイミングの基準となるタイミング参照セルが設定され、前記基地局装置から前記グループに対するグループ構成を変更するメッセージを受信する手段と、前記メッセージで前記タイミング参照セルの変更が指示され、且つ、前記メッセージにランダムアクセス情報が含まれていた場合、新たなタイミング参照セルでランダムアクセス手順を開始する手段を有することを特徴とする。
【００２４】
（１３）また、本発明の実施形態の集積回路は、複数セルを移動局装置に割り当て、前記移動局装置と前記複数セルを介して通信を行なう基地局装置に適用される集積回路であって、前記複数セルは、同じ上りリンク送信タイミングのセルでグループ化され、前記グループの１つのセルに対して送信タイミングの基準となるタイミング参照セルが設定され、前記グループに対するグループ構成を変更するメッセージに前記グループの識別情報、前記グループに含まれるセルの識別情報、新タイミング参照セルの識別情報、ランダムアクセス情報を含める手段と、前記メッセージを前記移動局装置に通知する手段を有することを特徴とする。
【発明の効果】
【００２５】
本発明の実施形態によれば、上りリンクの送信タイミングが同じ送信タイミンググループの構成を再設定した場合において、構成を変更したセルへの動作を効率的に制御する無線通信システム、移動局装置、基地局装置、無線通信方法及び集積回路を提供することができる。
【図面の簡単な説明】
【００２６】
【図１】本発明の実施形態に係る移動局装置の構成を示す図である。
【図２】本発明の実施形態に係る基地局装置の構成を示す図である。
【図３−１】本発明の実施形態に係るセルの構成例を示す図である。
【図３−２】本発明の実施形態に係るセルの構成例を示す図である。
【図３−３】本発明の実施形態に係るセルの構成例を示す図である。
【図４】送信タイミンググループ再構成メッセージ受信時の移動局装置の動作例を示すフローチャートである。
【図５】ＥＵＴＲＡにおけるチャネル構成を示す図である。
【図６】ＥＵＴＲＡにおける上りリンクの構成を示す図である。
【図７】ＥＵＴＲＡにおける下りリンクの構成を示す図である。
【図８】Contention based Random Accessの手順を示す図である。
【図９】Non-contention based Random Accessの手順を示す図である。
【図１０】複数の下りリンクのコンポーネントキャリアを束ねた場合についての説明図である。
【図１１】複数の上りリンクのコンポーネントキャリアを束ねた場合についての説明図である。
【図１２】基地局装置と移動局装置がリピータを介して通信する例を示す図である。
【発明を実施するための形態】
【００２７】
ＥＵＴＲＡの下りリンクは、下りリンク参照信号（Downlink Reference Signal）、下りリンク同期チャネルＤＳＣＨ（Downlink Synchronization Channel）、下りリンク共用チャネルＰＤＳＣＨ（Physical Downlink Shared Channel）、下りリンク制御チャネルＰＤＣＣＨ（Physical Downlink Control Channel）、報知チャネルＰＢＣＨ（Physical Broadcast Channel）により構成されている。
【００２８】
ＥＵＴＲＡの上りリンクは、上りリンク参照信号（Uplink Reference Signal）、ランダムアクセスチャネルＲＡＣＨ（Physical Random Access Channel）、上りリンク共用チャネルＰＵＳＣＨ（Physical Uplink Shared Channel）、上りリンク制御チャネルＰＵＣＣＨ（Physical Uplink Control Channel）により構成されている。また、上りリンク参照信号には、復調用参照信号（Demodulation Reference Signal）と測定用参照信号（Sounding Reference Signal）の2種類の信号がある。
【００２９】
図５は、ＥＵＴＲＡにおけるチャネル構成を示す図である。図６は、ＥＵＴＲＡにおける上りリンクの構成を示す図である。図７は、ＥＵＴＲＡにおける下りリンクの構成を示す図である。１ブロックは、１２本のサブキャリアと７つのＯＦＤＭシンボルから構成される。そして、２つのブロックを使用して、１リソースブロック（Resource Block：RB）が構成される。上りリンク共用チャネルＰＵＳＣＨと上りリンク制御チャネルＰＵＣＣＨは、1リソースブロック単位で使用される。ランダムアクセスチャネルＲＡＣＨは、６リソースブロック分を使用して構成される。
【００３０】
上りリンク参照信号は、リソースブロック内の特定のＯＦＤＭシンボルに配置される。上りリンクの各チャネルは、図６のように上りリンク共用チャネルＰＵＳＣＨの領域と上りリンク制御チャネルＰＵＣＣＨの領域とランダムアクセスチャネルＲＡＣＨとに分けられている。上りリンク共用チャネルＰＵＳＣＨと上りリンク制御チャネルＰＵＣＣＨの各領域に関する情報は、基地局装置から報知される。また、基地局装置は、各領域の中から移動局装置個別に上りリンク共用チャネルＰＵＳＣＨと上りリンク制御チャネルＰＵＣＣＨの無線リソースを割り当てる。尚、ランダムアクセスチャネルＲＡＣＨは、一定の周期で配置される。
【００３１】
下りリンク共用チャネルＰＤＳＣＨは、基地局装置から移動局装置へのユーザーデータ及び制御データの送信に使用される。下りリンク制御チャネルＰＤＣＣＨは、基地局装置から移動局装置への下りリンク共用チャネルＰＤＳＣＨと上りリンク共用チャネルＰＵＳＣＨの無線リソース割り当て情報などの制御情報通知に使用される。下りリンク参照信号は、下りリンク共用チャネルＰＤＳＣＨと下りリンク制御チャネルＰＤＣＣＨを復調するために使用される。下りリンク同期チャネルＤＳＣＨは、移動局装置が下りリンクの同期を取るために使用される。報知チャネルＰＢＣＨは、基地局装置のシステム情報に関する情報を通知するために使用される。
【００３２】
上りリンク共用チャネルＰＵＳＣＨは、移動局装置から基地局装置へのユーザーデータ及び制御データの送信に使用される。尚、上りリンク共用チャネルＰＵＳＣＨと下りリンク共用チャネルＰＤＳＣＨで送受信されるデータは、ＨＡＲＱ（Hybrid Automatic Repeat reQuset）処理が行われ、再送時に初送データと再送データを合成処理することで再送時のデータの誤り訂正能力を向上させている。上りリンク制御チャネルＰＵＣＣＨは、基地局装置からの下りリンクのデータに対する応答（Ack(Acknowledge)/Nack(Negative acknowledge)）及び下りリンクの無線伝搬路品質情報などの制御情報を通知する為に使用される。
【００３３】
ランダムアクセスチャネルＲＡＣＨは、主に移動局装置から基地局装置への送信タイミング情報を取得するためのランダムアクセスプリアンブル送信に使用される。ランダムアクセスプリアンブル送信はランダムアクセス手順の中で行なわれる。上りリンク参照信号の復調用参照信号は、基地局装置が上りリンク共用チャネルＰＵＳＣＨを復調するために使用される。復調用参照信号は、上りリンク共用チャネルＰＵＳＣＨの４番目のシンボル位置と１１番目のシンボル位置に挿入される。上りリンク参照信号の測定用参照信号は、基地局装置が上りリンクの無線伝搬路品質を測定するために使用される。測定用参照信号は、上りリンク共用チャネルＰＵＳＣＨの１４番目のシンボル位置に挿入される。尚、測定用参照信号を送信するための無線リソースは、基地局装置から移動局装置個別に割り当てられる。
【００３４】
ランダムアクセス手順には、Contention based Random Access（競合ベースランダムアクセス）とNon-contention based Random Access（非競合ベースランダムアクセス）の２つのアクセス手順がある（非特許文献１）。
【００３５】
図８は、Contention based Random Accessの手順を示す図である。Contention based Random Accessは、移動局装置間で衝突する可能性のあるランダムアクセスである。Contention based Random Accessは、基地局装置と接続（通信）していない状態からの初期アクセス時や基地局装置と接続中であるが、上りリンク同期が外れている状態で移動局装置に上りリンクデータ送信が発生した場合のスケジューリングリクエストなどに行われる。
【００３６】
図９は、Non-contention based Random Accessの手順を示す図である。Non-contention based Random Accessは、移動局装置間で衝突が発生しないランダムアクセスである。Non-contention based Random Accessは、基地局装置と移動局装置が接続中であるが、上りリンクの同期が外れている場合に迅速に移動局装置と基地局装置との間の上りリンク同期をとるためにハンドオーバーや移動局装置の送信タイミングが有効でない場合等の特別な場合に基地局装置から指示されて移動局装置がランダムアクセスを開始する（非特許文献１）。Non-contention based Random Accessは、ＲＲＣ（Ｒａｄｉｏ  Ｒｅｓｏｕｒｃｅ  Ｃｏｎｔｒｏｌ：Ｌａｙｅｒ３）層のメッセージ及び下りリンク制御チャネルＰＤＣＣＨの制御データで基地局装置が移動局装置に指示する。
【００３７】
図８を用いて、Contention based Random Access手順を簡単に説明する。まず、移動局装置１−１がランダムアクセスプリアンブルを基地局装置３に送信する（メッセージ１：（１）、ステップＳ１）。そして、ランダムアクセスプリアンブルを受信した基地局装置３が、ランダムアクセスプリアンブルに対する応答（ランダムアクセスレスポンス）を移動局装置１−１に送信する（メッセージ２：（２）、ステップＳ２）。移動局装置１−１がランダムアクセスレスポンスに含まれているスケジューリング情報を元に上位レイヤ（Layer2/Layer3）のメッセージを送信する（メッセージ３：（３）、ステップＳ３）。基地局装置３は、（３）の上位レイヤメッセージを受信できた移動局装置１−１に衝突確認メッセージを送信する（メッセージ４：（４）、ステップＳ４）。尚、Contention based Random Accessを「ランダムプリアンブル送信」とも言う。
【００３８】
図９を用いて、Non-contention based Random Access手順を簡単に説明する。まず、基地局装置３は、プリアンブル番号（または、シーケンス番号）と使用するランダムアクセスチャネル番号を移動局装置１−１に通知する（メッセージ０：（１）’、ステップＳ１１）。移動局装置１−１は、指定されたプリアンブル番号のランダムアクセスプリアンブルを指定されたランダムアクセスチャネルＲＡＣＨに送信する（メッセージ１：（２）’、ステップＳ１２）。そして、ランダムアクセスプリアンブルを受信した基地局装置３が、ランダムアクセスプリアンブルに対する応答（ランダムアクセスレスポンス）を移動局装置１−１に送信する（メッセージ２：（３）’、ステップＳ１３）。ただし、通知されたプリアンブル番号の値が０の場合は、移動局装置１−１は、Contention based Random Accessを行なう。尚、Non-contention based Random Accessを「専用プリアンブル送信」とも言う。
【００３９】
図８及び図１０を用いて、移動局装置１−１による基地局装置３への接続手順を説明する。まず、移動局装置１−１は、報知チャネルＰＢＣＨ等から基地局装置３のシステム情報を取得し、システム情報に含まれているランダムアクセス関連情報からランダムアクセス手順を実行し基地局装置３との接続を行なう。移動局装置１−１は、システム情報のランダムアクセス関連情報等からランダムアクセスプリアンブルを生成する。そして、移動局装置１−１は、ランダムアクセスチャネルＲＡＣＨでランダムアクセスプリアンブルを送信する（メッセージ１：（１））。尚、ランダムアクセス関連情報には、ランダムアクセスチャネルＲＡＣＨの構成、ランダムアクセスプリアンブルの生成情報、ランダムアクセス手順の各メッセージの送受信の為の情報等が含まれる。
【００４０】
基地局装置３は、移動局装置１−１からのランダムアクセスプリアンブルを検出すると、ランダムアクセスプリアンブルから移動局装置１−１と基地局装置３との間の送信タイミングのずれ量を算出し、Ｌａｙｅｒ２（Ｌ２）／Ｌａｙｅｒ３（Ｌ３）メッセージを送信するためスケジューリング（上りリンク無線リソース位置（上りリンク共用チャネルＰＵＳＣＨの位置）、送信フォーマット（メッセージサイズ）などの指定）を行ない、Ｔｅｍｐｏｒａｒｙ  Ｃ−ＲＮＴＩ（Cell-Radio Network Temporary Identity：移動局装置識別情報）を割り当て、下りリンク制御チャネルＰＤＣＣＨにランダムアクセスチャネルＲＡＣＨのランダムアクセスプリアンブルを送信した移動局装置１−１宛の応答（ランダムアクセスレスポンス）を示すＲＡ−ＲＮＴＩ（Random Access-Radio Network Temporary Identity：ランダムアクセスレスポンス識別情報）を配置し、下りリンク共用チャネルＰＤＳＣＨに送信タイミング情報、スケジューリング情報、Ｔｅｍｐｏｒａｒｙ  Ｃ−ＲＮＴＩおよび受信したランダムアクセスプリアンブルの情報を含んだランダムアクセスレスポンスメッセージを送信する（メッセージ２：（２））。
【００４１】
移動局装置１−１は、下りリンク制御チャネルＰＤＣＣＨにＲＡ−ＲＮＴＩがあることを検出すると、下りリンク共用チャネルＰＤＳＣＨに配置されたランダムアクセスレスポンスメッセージの中身を確認する。移動局装置１−１は、送信したランダムアクセスプリアンブルの情報が含まれている場合、送信タイミング情報から上りリンクの送信タイミング（上りリンク送信タイミング）を調整し、スケジューリングされた無線リソースと送信フォーマットでＣ−ＲＮＴＩ（またはTemporary C-RNTI）、または、ＩＭＳＩ（International Mobile Subscriber Identity）等の移動局装置１−１を識別する情報を含むＬ２／Ｌ３メッセージを送信する（メッセージ３：（３））。
【００４２】
移動局装置１−１は、送信タイミングを調整した場合に、調整した送信タイミングが有効である送信タイミングタイマーをスタートする。尚、この送信タイミングタイマーが満了すると調整した送信タイミングは無効となる。送信タイミングが有効の間、移動局装置１−１は、基地局装置へのデータ送信が可能であり、送信タイミングが無効の場合、移動局装置１−１は、ランダムアクセスプリアンブルの送信のみ可能である。また、送信タイミングが有効な期間を「上りリンク同期状態」と言い、送信タイミングが有効でない期間を「上りリンク非同期状態」とも言う。
【００４３】
基地局装置３は、移動局装置１−１からのＬ２／Ｌ３メッセージを受信すると、受信したＬ２／Ｌ３メッセージに含まれるＣ−ＲＮＴＩ（またはTemporary C-RNTI）またはＩＭＳＩを使用して移動局装置１−１〜１−３間で衝突が起こっているかどうか判断するための衝突確認（コンテンションレゾリューション）メッセージを移動局装置１−１に送信する（メッセージ４：（４））。
【００４４】
尚、移動局装置１−１は、一定期間内に送信したランダムアクセスプリアンブルに対応するプリアンブル番号を含むランダムアクセスレスポンスメッセージを検出しなかった場合、メッセージ３の送信に失敗した場合、または、一定期間内に衝突確認メッセージに自移動局装置１−１の識別情報を検出しなかった場合、ランダムアクセスプリアンブルの送信（メッセージ１：（１））からやり直す。そして、ランダムアクセスプリアンブルの送信回数がシステム情報で示されたランダムアクセスプリアンブルの最大送信回数を越えた場合、移動局装置１−１は、ランダムアクセス失敗と判断し、基地局装置３との通信を切断する。尚、ランダムアクセス手順成功後は、更に基地局装置３と移動局装置１−１との間で接続の為の制御データのやり取りがされる。この時、基地局装置３は、個別に割り当てる上りリンク参照信号及び上りリンク制御チャネルＰＵＣＣＨの割り当て情報を移動局装置１−１に通知する。
【００４５】
ランダムアクセス手順完了以降の上りリンクの送信タイミングの更新は、基地局装置３が移動局装置１−１から送信される上りリンク参照信号（測定用参照信号、または、復調用参照信号）を測定して、送信タイミング情報を算出し、算出した送信タイミング情報を移動局装置１−１に通知することで行なわれる。移動局装置１−１は、基地局装置３から通知された送信タイミング情報を更新すると送信タイミングタイマーをリスタート（restart）する。尚、基地局装置３も移動局装置１−１と同じ送信タイミングタイマーを保持しており、基地局装置３は、送信タイミング情報を送信した場合に送信タイミングタイマーをスタート、または、リスタートする。このようにすることで、基地局装置３と移動局装置１−１で上りリンク同期状態を管理する。送信タイミングタイマーが満了すると送信タイミングは無効となり、ランダムアクセスプリアンブルの送信以外の上りリンク送信を停止する。
【００４６】
また、送信タイミングは、基地局装置３から通知される送信タイミング情報だけでなく、移動局装置１−１で測定される下りリンク信号の受信タイミングの変化によっても調整される。移動局装置１−１は、下りリンク同期チャネルＤＳＣＨや下りリンク参照信号などを測定しながら、最適な受信タイミングに調整する。移動局装置１−１は、受信タイミングを変更すると前回の受信タイミングと新しい受信タイミングの差分を送信タイミングに反映する。
【００４７】
また、３ＧＰＰでは、ＥＵＴＲＡの更なる進化のＡｄｖａｎｃｅｄ−ＥＵＴＲＡの議論も始まっている。Ａｄｖａｎｃｅｄ−ＥＵＴＲＡでは、上りリンクおよび下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行なうことを想定している。
【００４８】
図１０は、Ａｄｖａｎｃｅｄ−ＥＵＴＲＡにおける下りリンクのコンポーネントキャリアについての説明図である。図１１は、Ａｄｖａｎｃｅｄ−ＥＵＴＲＡにおける上りリンクのコンポーネントキャリアについての説明図である。
【００４９】
Ａｄｖａｎｃｅｄ−ＥＵＴＲＡでは、ＥＵＴＲＡの移動局装置も収容できるようにＥＵＴＲＡの２０ＭＨｚ以下の帯域を複数個束ねることで、最大で１００ＭＨｚ帯域を実現することを考えている。尚、Ａｄｖａｎｃｅｄ−ＥＵＴＲＡでは、ＥＵＴＲＡの１つの２０ＭＨｚ以下の帯域を「コンポーネントキャリア（Component Carrier : CC）」と呼んでいる（非特許文献２）。また、１つの下りリンクのコンポーネントキャリアと１つの上りリンクのコンポーネントキャリアとを組み合わせて１つのセルが構成される。尚、１つの下りリンクコンポーネントキャリアのみでも１つのセルを構成できる。下りリンクのコンポーネントキャリアと上りリンクのコンポーネントキャリアを組み合わせは、下りリンクコンポーネントキャリアで報知されるセルのシステム情報の中で上りリンクコンポーネントキャリアとのリンク情報が示されるか、または、基地局装置から移動局装置個別に下りリンクコンポーネントキャリアと上りリンクコンポーネントキャリアの組み合わせが示される。
【００５０】
また、Ａｄｖａｎｃｅｄ−ＥＵＴＲＡでは、複数セルを用いて通信を行なうことから、基地局装置及び移動局装置の負荷をできる限り削減するために、複数セルの中の１つのセルを第一セル（Primary Cell）とそれ以外のセルを第二セル（Secondary Cell）としている。そして、第一セルとなるセルに対して、上りリンク制御チャネルＰＵＣＣＨを割り当て、ランダムアクセスの許可など、第一セルに特別な機能を設定している。
【００５１】
移動局装置の消費電力を少なくするために、割り当て直後の第二セルに対し、移動局装置は下りリンクの受信処理を行わない（または、下りリンク制御チャネルで指示された無線リソース割り当て情報に従わない）。移動局装置は、基地局装置からアクティベート（Activate）を指示された後、アクティベートを指示された第二セルに対して下りリンクの受信処理を開始する（または、下りリンク制御チャネルで指示された無線リソース割り当て情報に従う）ようにしている。また、移動局装置は、基地局装置からアクティベートしている第二セルに対してデアクティベート（deactivate）を指示された後、デアクティベートを指示された第二セルに対して下りリンクの受信処理を停止する（または、下りリンク制御チャネルで指示された無線リソース割り当て情報に従わない）ようにしている。
【００５２】
尚、基地局装置からアクティベートを指示され、下りリンクの受信処理を行っている第二セルをアクティベートセルと言う。また、基地局装置から移動局装置への割り当て直後の第二セル及びデアクティベートを指示され、下りリンクの受信処理を停止している第二セルをデアクティベートセルと言う。尚、第一セルは、常にアクティベートセルである。
【００５３】
基地局装置は、複数あるセルの中から移動局装置の通信能力や通信条件にあった１つ以上のセルを割り当てる。移動局装置は、割り当てられた１つ以上のセルを介して基地局装置とデータの送受信を行なう。移動局装置が、複数のセルを使用して基地局装置と通信を行なう場合、図１２のようにリピータ（Repeater）やＲＲＨ（Remote Radio Head）などを介して基地局装置へ接続する場合がある。このような場合、移動局装置での下りリンクコンポーネントキャリアの受信タイミングと、上りリンクコンポーネントキャリア毎の基地局装置への送信タイミングの両方または一方がセル毎に異なることとなる。特に、上りリンクコンポーネントキャリア毎の基地局装置への送信タイミングが異なる場合、移動局装置は、各セルの上りリンクコンポーネントキャリア毎に送信タイミングの調整を行なって、基地局装置へのデータ送信を行なう必要がある。
【００５４】
その為、基地局装置は、送信タイミングが同じセル（または、上りリンクコンポーネントキャリア）をグループ化して、グループ化したセル情報（コンポーネントキャリア情報）を移動局装置に通知する。移動局装置は、基地局装置から通知された送信タイミングが同じセルのグループ毎に送信タイミングの調整を行なう。尚、送信タイミングが同じセル（またはコンポーネントキャリア）をグループ化したものを「送信タイミンググループ」と言う。基地局装置は、各移動局装置に対して複数のセルを割り当てると送信タイミンググループを設定する。また、基地局装置は、通信状況の変化により、移動局装置に対して送信タイミンググループの再設定を行う。
【００５５】
各送信タイミンググループ内のセルの中に１つのタイミング参照セルがある。タイミング参照セルは、送信タイミンググループの送信タイミングのために利用される。すなわち、タイミング参照セルの下りリンクコンポーネントキャリアの受信タイミングを基準として計算されるタイミング参照セルの上りリンク送信タイミングが、送信タイミンググループ内のすべてのセルの上りリンク送信タイミングに反映される。第一セルを含む送信タイミンググループでは、常に第一セルがタイミング参照セルであり、その他の送信タイミンググループでは、基地局装置からランダムアクセス手順の開始を指示された第二セルがタイミング参照セルとなる。
【００５６】
[構成説明]
図１は、本発明の実施形態に係る移動局装置の構成を示す図である。移動局装置１−１〜１−３は、無線部１０１、送信処理部１０３、変調部１０５、送信ＨＡＲＱ処理部１０７、制御部１０９、上りリンク参照信号生成部１１１、ランダムアクセスプリアンブル生成部１１３、受信処理部１１５、復調部１１７、受信ＨＡＲＱ処理部１１９、移動局管理部１２１から構成される。移動局管理部１２１は、ＵＬスケジュール部１２３、制御データ作成部１２５、制御データ解析部１２７、セル管理部１２９、ＴＡ管理部１３１から構成される。
【００５７】
ユーザーデータおよび制御データは、送信ＨＡＲＱ処理部１０７に入力される。送信ＨＡＲＱ処理部１０７は、制御部１０９の指示により、入力データに符号化を行い、符号化したデータにパンクチャ処理を行う。そして、送信ＨＡＲＱ処理部１０７は、パンクチャしたデータを変調部１０５に出力し、符号化したデータを保存する。また、送信ＨＡＲＱ処理部１０７は、制御部１０９より、データの再送を指示された場合、保存されている符号化したデータに前回に行なったパンクチャと異なるパンクチャ処理を行い、パンクチャしたデータを変調部１０５に出力する。また、送信ＨＡＲＱ処理部１０７は、制御部１０９からの指示により、保存してあるデータを消去する。
【００５８】
変調部１０５は、送信ＨＡＲＱ処理部１０７からの入力データに変調を行ない、送信処理部１０３に出力する。送信処理部１０３は、制御部１０９の指示により、変調部１０５、上りリンク参照信号生成部１１１、およびランダムアクセスプリアンブル生成部１１３からの入力データ（または入力信号）を各セルの上りリンクコンポーネントキャリアの各チャネルにマッピングし、マッピングしたデータを直列／並列変換、ＤＦＴ−ＩＦＦＴ（Inverse Fast Fourier Transform（逆高速フーリエ変換））変換、ＣＰ挿入などのＯＦＤＭ信号処理を行い、ＯＦＤＭ信号を生成する。また、送信処理部１０３は、制御部１０９から渡される送信タイミングを調整する送信タイミンググループ情報及び送信タイミング情報、または、送信タイミンググループ情報及び受信タイミングの差分情報から各セルの上りリンクコンポーネントキャリア毎に出力される信号の送信タイミングを調整し、送信タイミングの調整後、ＯＦＤＭ信号を無線部１０１に出力する。
【００５９】
上りリンク参照信号生成部１１１は、制御部１０９の指示により、移動局管理部１２１から取得した上りリンク参照信号生成情報から上りリンク参照信号を生成し、生成した上りリンク参照信号を送信処理部１０３に出力する。ランダムアクセスプリアンブル生成部１１３は、制御部１０９からプリアンブル番号のみが通知された場合、設定されたランダムアクセス関連情報から通知されたプリアンブル番号のランダムアクセスプリアンブルを生成し、ランダムアクセス関連情報からランダムアクセスプリアンブルを送信するランダムアクセスチャネルＲＡＣＨの位置を選択して、送信処理部１０３に生成したランダムアクセスプリアンブルと選択したランダムアクセスチャネルＲＡＣＨ位置を出力する。また、ランダムアクセスプリアンブル生成部１１３は、制御部１０９からプリアンブル番号とランダムアクセスチャネルＲＡＣＨ位置が通知された場合、ランダムアクセス関連情報から通知されたプリアンブル番号のランダムアクセスプリアンブルを生成し、生成したランダムアクセスプリアンブルと通知されたランダムアクセスチャネルＲＡＣＨ位置を送信処理部１０３に出力する。
【００６０】
無線部１０１は、制御部１０９からの指示により送信処理部１０３からの入力信号を無線周波数にアップコンバートし、送信アンテナから送信する。また、無線部１０１は、アンテナより受信した無線信号をダウンコンバートし、受信処理部１１５に出力する。受信処理部１１５は、無線部１０１からの入力信号をＦＦＴ（Fast Fourier Transform（高速フーリエ変換））処理を行ない、復調部１１７に出力する。受信処理部１１５は、各セルの下りリンク同期信号ＤＳＣＨ、または、各セルの下りリンク参照信号から最適な受信タイミングを算出し、受信タイミングを更新する。受信処理部１１５は、移動局装置管理部１２１に更新した受信タイミングを通知する。また、受信処理部１１５は、下りリンク参照信号から下りリンクの伝搬路を測定し、測定結果を移動局装置管理部１２１に受信タイミングを通知する。復調部１１７は、入力データの復調処理を行い、復調したデータを受信ＨＡＲＱ処理部１１９に出力する。
【００６１】
受信ＨＡＲＱ処理部１１９は、入力データの復号処理を行う。受信ＨＡＲＱ処理部１１９は、復号処理に成功した場合、制御データを移動局管理部１２１に出力し、ユーザーデータを上位層に出力する。受信ＨＡＲＱ処理部１１９は、入力データの復号処理に失敗した場合、復号処理に失敗したデータを保存する。受信ＨＡＲＱ処理部１１９は、再送データを受信した場合、保存してあるデータと再送データを合成し、復号処理を行う。また、受信ＨＡＲＱ処理部１１９は、入力データの復号処理の成否を移動局管理部１２１に通知する。受信ＨＡＲＱ処理部１１９は、制御部１０９からの指示により、保存してあるデータを消去する。
【００６２】
制御部１０９は、移動局管理部１２１からの指示に基づいて、無線部１０１、送信処理部１０３、変調部１０５、送信ＨＡＲＱ処理部１０７、上りリンク参照信号生成部１１１、ランダムアクセスプリアンブル生成部１１３、受信処理部１１５、復調部１１７、受信ＨＡＲＱ処理部１１９の制御を行う。
【００６３】
移動局管理部１２１は、ＵＬスケジュール部１２３、制御データ作成部１２５、制御データ解析部１２７、セル管理部１２９、ＴＡ管理部１３１から構成される。制御データ作成部１２５は、受信ＨＡＲＱ処理部１１９からの受信データの復号結果から受信データの応答であるＡＣＫ／ＮＡＣＫメッセージを作成し、また、下りリンクの無線品質を示すメッセージなどの制御データを作成する。制御データ作成部１２５は、作成した制御データを送信ＨＡＲＱ処理部１０７に出力する。
【００６４】
制御データ解析部１２７は、受信ＨＡＲＱ処理部１１９から入力された制御データを解析する。制御データ解析部１２７は、基地局装置３から受信したセルのシステム情報（または、セルの設定情報）やセルの割り当て情報、アクティベート指示メッセージ、送信タイミンググループ再構成メッセージ、ランダムアクセス指示情報、ランダムアクセスレスポンスメッセージ、コンテンションレゾリューションメッセージ、上りリンク参照信号の生成情報をセル管理部１２９に出力し、送信タイミングメッセージや送信タイミングタイマー情報をＴＡ管理部１３１に出力する。
【００６５】
ＵＬスケジュール部１２３は、基地局装置３からの上りリンクデータのスケジューリング情報や送信した上りリンクデータの応答（ＡＣＫ／ＮＡＣＫ）をもとに制御部１０９を介して送信処理部１０３、変調部１０５、送信ＨＡＲＱ処理部１０７を制御する。また、上位層からの制御情報をもとにセル管理部１２９にランダムアクセス手順を開始するよう指示する。
【００６６】
セル管理部１２９は、基地局装置３から割り当てられたセルを管理し、基地局装置３から受信したセル毎のシステム情報、または、設定情報（物理チャネルの構成や送信電力情報やランダムアクセス手順実行するために必要なランダムアクセス関連情報、上りリンク参照信号の生成情報などの各セルのシステム情報や上りリンク参照信号（測定用参照信号）の無線リソースや上りリンク制御チャネルＰＵＣＣＨの無線リソースなどの移動局装置１−１に個別に割り当てられた無線リソース）を管理する。セル管理部１２９は、制御部１０９を介してランダムアクセス関連情報をランダムアクセスプリアンブル生成部１１３に通知し、上りリンク参照信号の生成情報を上りリンク参照信号生成部１１１に通知する。
【００６７】
セル管理部１２９は、アクティベート指示メッセージを取得し、アクティベート指示があった場合、アクティベート指示のあったセルの受信処理を開始するように制御部１０９を介して受信処理部１１５、復調部１１７、受信ＨＡＲＱ処理部１１９に指示する。また、セル管理部１２９は、アクティベート指示メッセージを取得し、デアクティベート指示があった場合、デアクティベート指示のあったセルの受信処理を停止するように制御部１０９を介して受信処理部１１５、復調部１１７、受信ＨＡＲＱ処理部１１９に指示する。
【００６８】
セル管理部１２９は、送信タイミンググループ再構成メッセージを取得すると、送信タイミングが同じセルのグループ情報及びタイミング参照セルをＴＡ管理部１３１に通知する。セル管理部１２９は、通信の開始時や上りリンクデータのスケジュール要求を行なう場合、競合ベースランダムアクセス手順を開始し、ランダムアクセス関連情報からランダムプリアンブルを選択し、選択したランダムプリアンブルのプリアンブル番号を制御部１０９を介してランダムアクセスプリアンブル生成部１１３に通知する。また、セル管理部１２９は、ランダムアクセス指示情報や取得した場合、または、送信タイミンググループ再構成メッセージでプリアンブル番号が含まれている場合、非競合ベースランダムアクセス手順を開始し、ランダムアクセス指示情報、または、送信タイミンググループ再構成メッセージに含まれているプリアンブル番号とランダムアクセスチャネル番号を制御部１０９を介してランダムアクセスプリアンブル生成部１１３に通知する。
【００６９】
セル管理部１２９は、ランダムアクセスレスポンスメッセージを取得した場合、ランダムアクセスレスポンスメッセージに含まれる送信タイミング情報をＴＡ管理部１３１に出力し、Ｌ２／Ｌ３メッセージの情報を制御データ作成部１２５に出力し、非競合ベースランダムアクセス手順実行中の場合、非競合ベースランダムアクセス手順を終了する。セル管理部１２９は、コンテンションレゾリューションメッセージを取得した場合、競合ベースランダムアクセス手順を終了する。また、セル管理部１２９は、ランダムアクセスレスポンスメッセージを取得した場合、送信タイミング情報を取得した送信タイミンググループの送信処理を開始するように制御部１０９を介して送信処理部１０３、変調部１０５、送信ＨＡＲＱ処理部１０７に指示する。セル管理部１２９は、送信タイミングタイマーが満了した場合、送信タイミングタイマーが満了した送信タイミンググループの送信処理を停止するように制御部１０９を介して送信処理部１０３、変調部１０５、送信ＨＡＲＱ処理部１０７に指示する。
【００７０】
ＴＡ管理部１３１は、送信タイミンググループ毎の送信タイミングと送信タイミングタイマーを管理する。また、ＴＡ管理部１３１は、送信タイミンググループ及びタイミング参照セルも管理する。ＴＡ管理部１３１は、送信タイミングメッセージを取得した場合、送信タイミングメッセージに含まれる送信タイミングを適用する送信タイミンググループ情報と送信タイミング情報とを制御部１０９を介して送信処理部１０３に通知し、送信タイミングを適用する送信タイミンググループの送信タイミングタイマーをスタート、または、リスタートする。また、ＴＡ管理部１３１は、受信処理部１１５から各セルの受信タイミングを取得すると、送信タイミンググループ情報と前回の受信タイミングと今回の受信タイミングの差分情報を送信処理部１０３に通知する。ＴＡ管理部１３１は、送信タイミングタイマーが満了した場合、送信タイミングタイマーが満了したことをセル管理部１２９に通知する。
【００７１】
図２は、本発明の実施形態に係る基地局装置３の構成図を示す。基地局装置３は、無線部２０１、送信処理部２０３、変調部２０５、送信ＨＡＲＱ処理部２０７、制御部２０９、下りリンク参照信号生成部２１１、プリアンブル検出部２１３、受信処理部２１５、復調部２１７、受信ＨＡＲＱ処理部２１９、基地局管理部２２１から構成される。基地局管理部２２１は、ＤＬ／ＵＬスケジュール部２２３、制御データ作成部２２５、制御データ解析部２２７、セル管理部２２９、ＴＡ管理部２３１から構成される。
【００７２】
ユーザーデータ及び制御データは、送信ＨＡＲＱ処理部２０７に入力される。送信ＨＡＲＱ処理部２０７は、制御部２０９の指示により、入力データに符号化を行い、符号化したデータにパンクチャ処理を行う。そして、送信ＨＡＲＱ処理部２０７は、パンクチャしたデータを変調部２０５に出力し、符号化したデータを保存する。送信ＨＡＲＱ処理部２０７は、制御部２０９より、データの再送を指示された場合、保存してある符号化したデータを取得し、前回に行なったパンクチャと異なるパンクチャ処理を行い、パンクチャしたデータを変調部２０５に出力する。送信ＨＡＲＱ処理部２０７は、制御部２０９からの指示により、保存してあるデータを消去する。
【００７３】
変調部２０５は、送信ＨＡＲＱ処理部２０７からの入力データに変調を行ない、送信処理部２０３に出力する。送信処理部２０３は、制御部２０９の指示により、変調部２０５及び下りリンク参照信号生成部２１１からの入力データ（または信号）を各セルの下りリンクコンポーネントキャリアの下りリンク制御チャネルＰＤＣＣＨ、下りリンク同期チャネルＤＳＣＨ、報知チャネルＰＢＣＨ、下りリンク共用チャネルＰＤＳＣＨなどの各チャネルにマッピングし、マッピングしたデータを直列／並列変換、ＩＦＦＴ（Inverse Fast Fourier Transform（逆高速フーリエ変換））変換、ＣＰ挿入などのＯＦＤＭ信号処理を行い、ＯＦＤＭ信号を生成する。そして、送信処理部２０３は、生成したＯＦＤＭ信号を無線部２０１に出力する。
【００７４】
無線部２０１は、制御部２０９からの指示により送信処理部２０３からの入力信号を無線周波数にアップコンバートして、送信アンテナから移動局装置１−１〜１−３に送信する。また、無線部２０１は、アンテナより移動局装置１−１からの無線信号を受信し、受信信号をベースバンド信号にダウンコンバートして、受信信号を受信処理部２１５、または、プリアンブル検出部２１３に出力する。受信処理部２１５は、無線部２０１からの入力信号にＦＦＴ（Fast Fourier Transform（高速フーリエ変換））処理を行い、復調部２１７に出力する。また、受信処理部２１５は、上りリンク参照信号（測定用参照信号）から上りリンクの無線伝搬路品質や送信タイミングのずれ量を測定し、測定結果を基地局管理部２２１に渡す。尚、上りリンクの通信方式は、ＤＦＴ−ｓｐｒｅａｄ  ＯＦＤＭ等のようなシングルキャリア方式を想定しているが、ＯＦＤＭ方式のようなマルチキャリア方式でもかまわない。復調部２１７は、入力データの復調処理を行い、復調したデータを受信ＨＡＲＱ処理部２１９に出力する。
【００７５】
受信ＨＡＲＱ処理部２１９は、入力データの復号処理を行う。受信ＨＡＲＱ処理部２１９は、復号処理に成功した場合、制御データを基地局管理部２２１に出力し、ユーザーデータを上位層に出力する。受信ＨＡＲＱ処理部２１９は、入力データの復号処理に失敗した場合、復号処理に失敗したデータを保存する。受信ＨＡＲＱ処理部２１９は、再送データを受信した場合、保存してあるデータと再送データを合成し、復号処理を行う。また、受信ＨＡＲＱ処理部２１９は、入力データの復号処理の成否を基地局管理部２２１に通知する。また、受信ＨＡＲＱ処理部２１９は、制御部２０９からの指示により、保存してあるデータを消去する。
【００７６】
プリアンブル検出部２１３は、無線部２０１から入力信号に対して、相関処理を行い、ランダムアクセスプリアンブルの検出処理を行う。プリアンブル検出部２１３は、ランダムアクセスプリアンブルを検出した場合、検出したランダムアクセスプリアンブルから送信タイミングずれ量を算出する。プリアンブル検出部２１３は、ランダムアクセスプリアンブルを検出したセルと検出したプリアンブルの情報と送信タイミングずれ量を基地局管理部２２１に通知する。制御部２０９は、基地局管理部２２１からの指示に基づいて、無線部２０１、送信処理部２０３、変調部２０５、送信ＨＡＲＱ処理部２０７、下りリンク参照信号生成部２１１、受信処理部２１５、復調部２１７、受信ＨＡＲＱ処理部２１９の制御を行う。
【００７７】
基地局管理部２２１は、下りリンク及び上りリンクのスケジュールを行なうＤＬ／ＵＬスケジュール部２２３、制御データ作成部２２５、制御データ解析部２２７、セル管理部２２９、ＴＡ管理部２３１から構成される。ＤＬ／ＵＬスケジュール部２２３は、移動局装置１−１から通知される下りリンクの無線伝搬路品質情報や上位層からの通知される各ユーザーのデータ情報や制御データ作成部２２５で作成される制御データから下りリンクの各チャネルにユーザーデータおよび制御データをマッピングする為のスケジュールを行ない、スケジュール結果を制御部２０９に出力する。また、ＤＬ／ＵＬスケジュール部２２３は、受信処理部２１５からの上りリンクの無線伝搬路品質結果と移動局装置１−１からの無線リソース割り当て要求から上りリンクの各チャネルにユーザーデータをマッピングする為のスケジュールを行なう。
【００７８】
また、ＤＬ／ＵＬスケジュール部２２３は、プリアンブル検出部２１３からランダムアクセスプリアンブルを検出したことを通知された場合、上りリンク共用チャネルＰＵＳＣＨを割り当てて、割り当てた上りリンク共用チャネルＰＵＳＣＨとプリアンブル番号を制御データ作成部２２５に通知する。ＤＬ／ＵＬスケジュール部２２３は、ＴＡ管理部２３１から送信タイミング情報と送信タイミングを適用する送信タイミンググループ情報を通知された場合、ＴＡ管理部２３１に送信タイミング情報を送信することを報告し、送信タイミング情報と送信タイミングを適用する送信タイミンググループ情報を制御データ作成部２２５に通知する。また、ＤＬ／ＵＬスケジュール部２２３は、上りリンクの同期が外れている移動局装置に対して、下りリンクのユーザーデータが発生した場合、移動局装置にランダムアクセス手順を行なわせるようにセル管理部２２９に指示する。
【００７９】
制御データ作成部２２５は、下りリンク制御チャネルＰＤＣＣＨに配置される制御データや下りリンク共用チャネルＰＤＳＣＨに配置される制御データを作成する。スケジュール情報を含んだ制御メッセージ、上りリンクデータの応答（ＡＣＫ／ＮＡＣＫ）、物理チャネルの構成情報や各チャネルの送信電力情報やランダムアクセス関連情報などを含むシステム情報メッセージ、利用するセルの設定情報（ランダムアクセス関連情報を含む）を含んだ初期設定メッセージ、セルのアクティベート／デアクティベートを指示するアクティベート指示メッセージ、プリアンブル番号や送信タイミング情報やスケジューリング情報を含んだランダムアクセスレスポンスメッセージ、コンテンションレゾリューションメッセージ、プリアンブル番号とランダムアクセスチャネル番号を含んだランダムアクセス指示情報、送信タイミンググループ情報、タイミング参照セル情報、プリアンブル番号及びランダムアクセスチャネル番号等を含んだ送信タイミンググループ再構成メッセージ、送信タイミング情報を含んだ送信タイミングメッセージなどの制御データを作成する。制御データ解析部２２７は、移動局装置１−１からの下りリンクデータの応答（ＡＣＫ／ＮＡＣＫ）結果により、制御部２０９を介して、送信ＨＡＲＱ処理部２０７を制御する。
【００８０】
セル管理部２２９は、各セルや各セルのシステム情報（物理チャネルの構成情報や各チャネルの送信電力情報やランダムアクセス関連情報や送信タイミングのセル関係情報など）を管理する。また、セル管理部２２９は、移動局装置１−１〜１−３に１つ以上のセルを割り当てて、また、上りリンク参照信号（測定用参照信号）の無線リソースや上りリンク制御チャネルＰＵＣＣＨの無線リソースを割り当てる。そして、セル管理部２２９は、割り当てたセルに関する情報を通知するように制御データ作成部２２５にセルの割り当て情報やセルのシステム情報（セルの設定情報）、移動局装置１−１〜１−３に割り当てる無線リソース情報などを出力する。
【００８１】
セル管理部２２９は、移動局装置１−１へのデータ送信、または、移動局装置１−１からのデータ送信の通信状況から割り当てたセルのアクティベート／デアクティベートを決定する。セル管理部２２９は、決定した割り当てたセルのアクティベート／デアクティベート指示情報を制御データ作成部２２５に通知する。セル管理部２２９は、ＤＬ／ＵＬスケジュール部２２３から移動局装置にランダムアクセス手順を実行させる指示を受信した場合、セルのランダムアクセス関連情報からプリアンブル番号とランダムアクセスチャネル番号を選択し、制御データ作成部２２５に通知する。
【００８２】
セル管理部２２９は、ＴＡ管理部２３１から送信タイミンググループ情報とタイミング参照セル情報を取得した場合、送信タイミンググループでランダムアクセス手順を実行させるかどうか判断する。ランダムアクセス手順を実行させる場合、セル管理部２２９は、タイミング参照セルのランダムアクセス関連情報からプリアンブル番号とランダムアクセスチャネルＲＡＣＨ番号を選択し、送信タイミンググループ情報、タイミング参照セル情報、プリアンブル番号及びランダムアクセスチャネル番号を制御データ作成部２２５に通知する。ランダムアクセス手順を実行させない場合、セル管理部２２９は、送信タイミンググループ情報、タイミング参照セル情報を制御データ作成部２２５に通知する。
【００８３】
ＴＡ管理部２３１は、移動局装置１−１〜１−３のセル毎の送信タイミングと送信タイミングタイマーを管理する。また、ＴＡ管理部２３１は、送信タイミングが同じとなるセル関係情報とタイミング参照セルも管理する。ＴＡ管理部２３１は、プリアンブル検出部２１３、または、受信処理部２１５から送信タイミングのずれ量を取得した場合、送信タイミングが同じとなるセルのグループを決定し、また、タイミングの基準となるタイミング参照セルを決定する。ＴＡ管理部２３１は、決定した送信タイミンググループ情報とタイミング参照セル情報をセル管理部２２９に通知する。ＴＡ管理部２３１は、ＤＬ／ＵＬスケジュール部２２３から送信タイミング情報の送信を通知されると送信タイミングタイマーをスタート、または、リスタートする。
【００８４】
[動作説明]
図１０、図１１で説明した基地局装置が移動局装置に複数セルを割り当て、割り当てた複数のセルを介して基地局装置と移動局装置が通信を行なう無線通信システムを想定している。また、図１２で説明した移動局装置からの送信タイミングが異なる複数のセルを介して通信を行なうような無線通信システムを想定している。
【００８５】
Ａｄｖａｎｃｅｄ−ＥＵＴＲＡでは、基地局装置は、複数あるセルの中から移動局装置の通信能力や通信条件にあった１つ以上の異なる周波数のセルを周波数毎に割り当てる。そして、移動局装置は、割り当てられたセルを介して基地局装置とデータの送受信を行なう。移動局装置が、複数のセルを使用して基地局装置と通信を行なう場合、図１２のようにリピータ（Repeater）やＲＲＨ（Radio Remote Head）などを介して基地局装置へ接続する場合がある。このような場合、移動局装置での下りリンクコンポーネントキャリアからのデータの受信タイミングは、セル毎に異なる場合がある。更に各セルの上りリンクコンポーネントキャリア毎に基地局装置への送信タイミングが異なる場合がある。上りリンクコンポーネントキャリア毎に基地局装置への送信タイミングが異なる場合、基地局装置は、移動局装置からの送信タイミングが同じとなるセルをグループ化（以降は、グループ化したセルを送信タイミンググループと示す。）する。移動局装置は、送信タイミングが同じとなるセルグループ単位で送信タイミングの調整を行う。
【００８６】
各送信タイミンググループの中に１つのタイミング参照セルがある。移動局装置は、タイミング参照セルの下りリンクの受信タイミングを基準にして、基地局装置から通知される送信タイミング情報とタイミング参照セルの下りリンクの受信タイミングから各送信タイミンググループの送信タイミングを決定する。
【００８７】
基地局装置は、移動局装置の移動による通信状況の変化により、移動局装置に対して送信タイミンググループの再構成を行う場合がある。基地局装置が送信タイミンググループの再設定を行い、タイミング参照セルが送信タイミンググループから削除される場合、または、他の送信タイミンググループに変更になった場合、その送信タイミンググループのタイミング参照セルがなくなり、移動局装置は上りリンクの送信ができなくなる。
【００８８】
基地局装置は、送信タイミンググループの再構成を行う場合、移動局装置に送信タイミンググループ再構成メッセージを送信する。タイミング参照セルを変更する場合の送信タイミンググループ再構成メッセージは、少なくとも送信タイミンググループのグループ番号、送信タイミンググループに含まれるセル情報とタイミング参照セル情報とプリアンブル番号及びランダムアクセスチャネル番号で構成される。移動局装置は、送信タイミンググループ再構成メッセージを受信した場合、送信タイミンググループ再構成メッセージで指示されたように送信タイミンググループの設定及び参照セルの設定を行う。
【００８９】
更にタイミング参照セルを変更した場合、移動局装置は、送信タイミンググループ再構成メッセージに含まれるプリアンブル番号とランダムアクセスチャネル番号を使用して、タイミング参照セルの上りリンクでランダムアクセスプリアンブルを送信して、ランダムアクセス手順を開始する。そして、移動局装置は、基地局装置から送信タイミング情報を取得し、取得した送信タイミングを設定する。このように基地局装置が送信タイミング再構成メッセージにプリアンブル番号などのランダムアクセス情報を含めて移動局装置に通知することで、送信タイミンググループ内のタイミング参照セルを変更または削除した場合でも、移動局装置は、すぐに送信タイミングを設定することができるので、上りリンクの送信もすぐに可能となる。
【００９０】
尚、基地局装置及び移動局装置は、送信タイミングタイマーを送信タイミンググループ毎に１つ持つようして、送信タイミングを管理する。第一セルを含むセルで構成される送信タイミンググループを第一の送信タイミンググループ、第二セルでのみで構成される送信タイミンググループ第二の送信タイミンググループとして、以後説明する。尚、第一の送信タイミンググループは必ず１つであり、第二の送信タイミンググループは１つ以上ある。タイミング参照セルは、送信タイミンググループ毎に１つあり、第一の送信タイミンググループのタイミング参照セルは、常に第一セルである。
【００９１】
移動局装置１−１と基地局装置３の動作を説明する。尚、例として、基地局装置３は、図３−１のようにセル１〜セル５から構成されていて、セル１〜セル２は送信タイミングが同じ送信タイミンググループであり、セル３〜セル５は別の送信タイミングが同じ送信タイミンググループであるとする。
【００９２】
移動局装置１−１は、セルサーチを行い、基地局装置３の１つのセルを見つける。ここでは、移動局装置１−１は、セル１を見つけるとする。移動局装置１−１は、セル１の報知チャネルＰＢＣＨなどを受信し、システム情報（セルの物理チャネル構成、送信電力情報、ランダムアクセス関連情報など）を取得する。そして、移動局装置１−１は、システム情報に含まれるランダムアクセス関連情報を使用して、初期アクセスのためにセル１のランダムアクセスチャネルＲＡＣＨへランダムアクセスプリアンブルを送信する。そして、移動局装置１−１は、基地局装置３からセル１に対する送信タイミング情報を含んだランダムアクセスレスポンスメッセージを取得し、セル１に対する上りリンクコンポーネントキャリアの送信タイミングを設定して、送信タイミングタイマーをスタートさせる。移動局装置１−１は、セル１を介してメッセージ３を基地局装置３へ送信する。尚、移動局装置１−１は、このメッセージ３に初期アクセスを示した内容を含めてメッセージ３を送信する。そして、移動局装置１−１は、コンテンションレゾリューションを基地局装置３から受信すると競合ベースランダムアクセス手順を終了する。
【００９３】
ランダムアクセス手順が完了後、基地局装置３は、移動局装置１−１に使用させるセルを割り当て、第一セルを設定し、送信タイミンググループ及び各送信タイミンググループ内のタイミング参照セルも設定する。ここでは、図３−２のように、基地局装置３は、移動局装置１−１にセル１〜セル５を割り当てて、セル１を第一セル、セル２〜セル５を第二セルに設定する。基地局装置３は、セル１〜セル２を第一の送信タイミンググループ、セル３〜セル５を第二の送信タイミンググループに設定する。また、基地局装置３は、第一の送信タイミンググループのタイミング参照セルにセル１を設定し、第二の送信タイミンググループのタイミング参照セルにセル５を設定する。尚、第一セルは、常にタイミング参照セルである。
【００９４】
そして、基地局装置３は、移動局装置１−１に割り当てたセルのシステム情報、送信タイミンググループのグループ情報、タイミング参照セル情報、第一セルの上りリンク制御チャネルＰＵＣＣＨの割り当て情報、上りリンク参照信号（測定用参照信号）の生成情報や上りリンク参照信号（測定用参照信号）を送信するための無線リソース割り当て情報、定期的な上りリンク共用チャネルＰＵＳＣＨの無線リソース割り当て情報などの設定情報も移動局装置１−１に通知する。尚、ここでは、基地局装置３は、移動局装置１−１にアクティベート指示メッセージを送信し、セル２〜セル５はアクティベートしているものとして説明する。
【００９５】
そして、移動局装置１−１は、割り当てられたセルのシステム情報や送信タイミンググループのグループ情報を取得後、セル１と同じ第一の送信タイミンググループのセル２の上りリンクの送信タイミングとしてセル１の送信タイミングを設定する。この後、移動局装置１−１と基地局装置３との間でセル１〜セル５の下りリンクコンポーネントキャリアとセル１〜セル２の上りリンクコンポーネントキャリアを介してデータのやり取りがされる。
【００９６】
移動局装置１−１からの送信データ量が多くなり、移動局装置１−１で利用していないセルがある場合、基地局装置３は、第二の送信タイミンググループ内のセルに非競合ベースランダムアクセスを行うように指示するランダムアクセス指示情報を下りリンク制御チャネルＰＤＣＣＨで通知する。ここでは、基地局装置３は、セル５に対してのランダムアクセス指示情報を移動局装置１−１に通知する。ランダムアクセス指示情報には、プリアンブル番号とランダムアクセスチャネル番号が含まれており、移動局装置１−１は、プリアンブル番号を確認し、プリアンブル番号が非競合ベースランダムアクセス手順を指示している場合、基地局装置３から指定されたプリアンブル番号とランダムアクセスチャネル番号を使用して、ランダムアクセスプリアンブルをセル５のランダムアクセスチャネルＲＡＣＨに送信する。
【００９７】
基地局装置３は、ランダムアクセスプリアンブルを検出すると、ランダムアクセスプリアンブルから送信タイミング情報を算出して、移動局装置１−１にセル５の下りリンクコンポーネントキャリアを介して送信タイミング情報を含んだランダムアクセスレスポンスメッセージを通知する。移動局装置１−１は、ランダムアクセスレスポンスメッセージを受信するとランダムアクセスレスポンスメッセージに含まれている送信タイミングをセル５の上りリンクの送信タイミングとして設定する。更に、移動局装置１−１は、該送信タイミングを同じ送信タイミンググループであるセル３、セル４の上りリンクの送信タイミングとして設定し、送信タイミングタイマーをスタートする。そして、移動局装置１−１は、非競合ベースランダムアクセス手順を完了する。この後、セル３〜セル５の上りリンクコンポーネントキャリアも含めて、移動局装置１−１と基地局装置３との間でデータのやり取りを行なう。
【００９８】
移動局装置１−１は、送信タイミンググループ毎に１つの送信タイミングタイマーを持ち、送信タイミング情報を受信すると対象となる送信タイミングタイマーをスタート、またはリスタートする。基地局装置３も同様に送信タイミンググループ毎に１つの送信タイミングタイマーを持ち、送信タイミング情報を送信すると対象となる送信タイミングタイマーをスタート、またはリスタートする。送信タイミングタイマーが動作中は、対象となる上りリンクが上りリンク同期している（送信タイミングが有効である）状態であり、移動局装置１−１は、対象となる送信タイミンググループの上りリンクコンポーネントキャリアでの上りリンク送信が可能である。尚、送信タイミングタイマーは、セル毎に持つように構成しても良い。基地局装置３は、移動局装置１−１からの上りリンク参照信号を測定して、送信タイミング情報を算出する。基地局装置３は、送信タイミングを維持する必要がある場合、移動局装置１−１に送信タイミング情報を通知する。
【００９９】
基地局装置３は、移動局装置１−１から各セルの上りリンク参照信号などの上りリンク信号を受信し、送信タイミンググループ内の各セルの送信タイミングのずれを算出する。基地局装置３は、送信タイミンググループ内のセル間で送信タイミングが異なった場合、送信タイミンググループの再構成を行う。基地局装置３は、送信タイミンググループを再構成し、タイミング参照セルを変更する場合、送信タイミンググループの識別情報、送信タイミンググループに含まれるセルの識別情報、新タイミング参照セルの識別情報、プリアンブル番号及びランダムアクセスチャネル番号を含んだ送信タイミンググループ再構成メッセージを移動局装置１−１に通知する。尚、ここでは、図３−３のように、第二の送信タイミンググループからセル５を削除し、第二の送信タイミンググループをセル３及びセル４で再構成し、タイミング参照セルをセル３に変更する例を説明する。
【０１００】
移動局装置１−１は、送信タイミンググループ再構成メッセージを受信した場合、第二送信タイミンググループをセル３及びセル４で再構成し、タイミング参照セルをセル３に設定する。そして、移動局装置１−１は、送信タイミンググループ再構成メッセージに含まれるランダムアクセスプリアンブル番号からランダムアクセスプリアンブルを生成し、生成したランダムアクセスプリアンブルを送信タイミンググループ再構成メッセージに含まれるランダムアクセスチャネル番号で指示されたタイミング参照セル（セル３）のランダムアクセスチャネルＲＡＣＨで送信する。そして、移動局装置１−１は、基地局装置３から送信したランダムアクセスプリアンブルに対するランダムアクセスレスポンスメッセージを受信する。移動局装置１−１は、ランダムアクセスレスポンスメッセージに含まれる送信タイミング情報を第二の送信タイミンググループのセル（セル３及びセル４）に設定する。そして、上りリンク送信を継続する。
【０１０１】
この場合の送信タイミンググループ再構成メッセージには、第二の送信タイミンググループの識別情報、第二の送信タイミンググループに含まれるセル３及びセル４の識別情報、
新タイミング参照セルであるセル３の識別情報、プリアンブル番号、ランダムアクセスチャネル番号が含まれる。
【０１０２】
尚、タイミング参照セルを変更した場合において、その送信タイミンググループに設定されている送信タイミングタイマーは、そのまま継続して動作させる。移動局装置１−１は、その送信タイミンググループの各セルに割り当てられている上りリンク参照信号等の上りリンク無線リソースを維持する。尚、送信タイミングタイマーは、停止または満了させるようにしても良いが、その場合においても、送信タイミンググループの各セルに割り当てられている上りリンク参照信号等の上りリンク無線リソースを維持する。
【０１０３】
上記例では、タイミング参照セルを削除した例を示したが、送信タイミンググループ内でタイミング参照セルのみを変更する場合でも同じである。例えば、送信タイミンググループ内のセル構成は同じで、タイミング参照セルのみをセル５からセル３に変更した場合でも同じである。このように基地局装置３が送信タイミング再構成メッセージにプリアンブル番号などのランダムアクセス情報を含めて移動局装置に通知することで、送信タイミンググループ内のタイミング参照セルを変更または削除した場合でも、移動局装置１−１は、すぐに送信タイミングを設定することができるので、上りリンクの送信もすぐに可能となる。
【０１０４】
尚、送信タイミンググループ再構成メッセージで設定された新タイミング参照セルがデアクティベート状態である場合、移動局装置１−１は、送信タイミンググループ内のセルをすべてデアクティベート状態に設定する。また、基地局装置３は、デアクティベートセルをタイミング参照セルに設定する場合、送信タイミンググループ再構成メッセージにランダムアクセスプリアンブル番号及びランダムアクセスチャネル番号を含めなくても良い。
【０１０５】
尚、送信タイミンググループ再構成メッセージで設定された新タイミング参照セルがデアクティベート状態であり、送信タイミンググループ再構成メッセージでプリアンブル番号及びランダムアクセスチャネル番号が割り当てられている場合、移動局装置１−１は、そのタイミング参照セルをアクティベートして、ランダムアクセスプリアンブルを送信するようにしても良い。このようにすることで、基地局装置３は、アクティベート指示メッセージを送信することなくタイミング参照セルを素早くアクティベートすることができる。
【０１０６】
また、基地局装置３は、タイミング参照セルの変更を伴わない送信タイミンググループの再構成を行う場合、送信タイミンググループのグループ番号、送信タイミンググループに含まれるセル情報だけを通知するようにしても良い。そして、移動局装置１−１は、セ送信タイミンググループの再構成のみを行う。また、基地局装置３から移動局装置１−１に通知される各セルのシステム情報の中でランダムアクセス関連情報が通知されない場合、基地局装置３は、送信タイミンググループ再構成メッセージに含めてランダムアクセス関連情報を通知しても良い。この場合、基地局装置３は、タイミング参照セルにのみランダムアクセス関連情報を通知するようにしても良い。尚、ランダムアクセス関連情報は、プリアンブル番号などのランダムアクセス情報に含めて通知しても良い。
【０１０７】
送信タイミンググループから削除されたセルが、他の送信タイミンググループに移動する場合、移動先の送信タイミンググループのタイミング参照セルの状態と移動前のセルの状態に基づいて移動後のセルの状態を決定する。つまり、送信タイミンググループから削除されたセルが、他の送信タイミンググループに移動し、移動先の送信タイミンググループのタイミング参照セルがアクティベート状態の場合、移動局装置１−１は、移動後のセルの状態を移動前の送信タイミンググループから削除される前の状態を維持する。例えば、第二の送信タイミンググループから削除されたセル５が第一の送信タイミンググループに移動した場合、第一の送信タイミンググループのタイミング参照セルはアクティベート状態であり、セル５はアクティベート状態であるので、移動局装置１−１は、セル５をアクティベート状態に維持する。
【０１０８】
また、送信タイミンググループから削除されたセルが、他の送信タイミンググループに移動し、移動した送信タイミンググループのタイミング参照セルがデアクティベート状態の場合、移動局装置１−１は、そのセルをデアクティベート状態に設定する。送信タイミンググループから削除されたセルが新規の送信タイミンググループに設定された場合、移動局装置１−１は、そのセルをデアクティベート状態に設定する。
【０１０９】
更に移動先の送信タイミンググループの送信タイミングが有効であり、移動後のセルの状態がアクティベート状態の場合、移動局装置１−１は、移動後のセルの送信タイミングに移動先の送信タイミンググループの送信タイミングを設定する。この場合、移動局装置１−１は、移動セルに移動前から割り当てられていた上りリンク参照信号などの上りリンク無線リソースを維持する。移動先の送信タイミンググループの送信タイミングが無効であり、移動後のセルの状態がアクティベート状態の場合、移動局装置１−１は、移動前の送信タイミングを無効とし、移動後のセルの送信タイミングを設定しない。この場合、移動局装置１−１は、移動セルに移動前から割り当てられている上りリンク参照信号などの上りリンク無線リソースを解放する。
【０１１０】
例えば、移動局装置１−１は、第二の送信タイミンググループから削除されたセル５が第一の送信タイミンググループに移動した場合、移動後のセルはアクティベート状態であり、第一の送信タイミンググループの送信タイミングは有効であるので、セル５のタイミング参照セルをセル１に設定し、セル５の送信タイミングに第一の送信タイミンググループの送信タイミングを設定する。移動先の送信タイミンググループの送信タイミングが無効である場合、移移動局装置１−１は、移動先のタイミング参照セルを設定するだけで、送信タイミングを設定しない。
【０１１１】
尚、第二の送信タイミンググループのタイミング参照セルをセル５からセル３に変更し、セル５を第一の送信タイミンググループに移動する場合、基地局装置３、第一の送信タイミンググループに対する送信タイミンググループ再構成メッセージと第二の送信タイミンググループ再構成メッセージを移動局装置１−１に送信する。
【０１１２】
このように送信タイミンググループを変更になったセルに対して、移動先の送信タイミンググループのタイミング参照セルの状態により、アクティベート状態に設定するか否かを決定することでアクティベート状態のセルが他の送信タイミンググループに移動した場合でも通信を継続できる。
【０１１３】
送信タイミンググループ再構成メッセージを受信した場合の移動局装置１−１の処理を図４のフローチャートを用いて説明する。移動局装置１−１は、送信タイミング再構成メッセージを受信する（ステップＳ１０１）。移動局装置１−１は、送信タイミング再構成メッセージでタイミング参照セルの変更があるか確認する（ステップＳ１０２）。タイミング参照セルの変更がある場合、移動局装置１−１は、送信タイミング再構成メッセージに従って送信タイミンググループの再構成をする（ステップＳ１０３）。移動局装置１−１は、新しいタイミング参照セルがアクティベートしているか確認する（ステップＳ１０４）。
【０１１４】
新タイミング参照セルがアクティベートしている場合、移動局装置１−１は、送信タイミング再構成メッセージに含まれているプリアンブル番号を用いてランダムアクセスプリアンブルを新タイミング参照セルを介して基地局装置３に送信する（ステップＳ１０５）。移動局装置１−１は、基地局装置３からランダムアクセスレスポンスメッセージを受信すると送信タイミンググループの送信タイミングを設定する（ステップＳ１０６）。新タイミング参照セルがデアクティベートしている場合、移動局装置１−１は、送信タイミンググループ内のセルをすべてデアクティベート状態に設定する（ステップＳ１０７）。タイミング参照セルの変更がある場合、移動局装置１−１は、送信タイミング再構成メッセージに従って送信タイミンググループの再構成をする（ステップＳ１０８）。
【０１１５】
以上、図面を参照してこの発明の一実施形態について詳しく説明してきたが、具体的な構成は上述のものに限られることはなく、この発明の要旨を逸脱しない範囲内において様々な設計変更等をすることが可能である。
【０１１６】
また、説明の便宜上、実施形態の移動局装置１−１及び基地局装置３を機能的なブロック図を用いて説明したが、移動局装置１−１及び基地局装置３の各部の機能またはこれらの機能の一部を実現するためのプログラムをコンピュータ読み取り可能な記録媒体に記録して、この記録媒体に記録されたプログラムをコンピュータシステムに読み込ませ、実行することにより移動局装置や基地局装置の制御を行なっても良い。尚、ここでいう「コンピュータシステム」とは、ＯＳや周辺機器等のハードウェアを含むものとする。
【０１１７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに、前述した機能をコンピュータシステムに既に記録されているプログラムとの組み合わせで実現できるものであっても良い。
【０１１８】
また、上記各実施形態に用いた各機能ブロックは、典型的には集積回路であるＬＳＩとして実現してもよい。各機能ブロックは個別にチップ化してもよいし、一部または全部を集積してチップ化してもよい。また、集積回路化の手法はＬＳＩに限らず専用回路または汎用プロセッサで実現しても良い。また、半導体技術の進歩によりＬＳＩに代替する集積回路化の技術が出現した場合、当該技術による集積回路を用いることも可能である。
【０１１９】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０１２０】
１−１〜１−３  移動局装置
３  基地局装置
５−１、５−２  リピータ
１０１、２０１  無線部
１０３、２０３  送信処理部
１１５、２１５  受信処理部
１０７、２０７  送信ＨＡＲＱ処理部
１１９、２１９  受信ＨＡＲＱ処理部
１０９、２０９  制御部
１２１  移動局管理部
２２１  基地局管理部
【図１】
0005888646.tif 000002
【図２】
0005888646.tif 000003
【図３−１】
0005888646.tif 000004
【図３−２】
0005888646.tif 000005
【図３−３】
0005888646.tif 000006
【図４】
0005888646.tif 000007
【図５】
0005888646.tif 000008
【図６】
0005888646.tif 000009
【図７】
0005888646.tif 000010
【図８】
0005888646.tif 000011
【図９】
0005888646.tif 000012
【図１０】
0005888646.tif 000013
【図１１】
0005888646.tif 000014
【図１２】
0005888646.tif 000015